(57)【要約】【課題】行毎の撮影時刻が異なる撮像素子を利用したステレオカメラにおいて、光軸ずれによる画像の位置ずれだけでなく、動体歪みも補正することが可能なステレオカメラ装置を提供すること。【解決手段】２つの画像の相関度から被写体との距離情報を検出するステレオカメラ装置１００であって、行と列に配列された画素のうち行毎の撮影時刻が異なる撮像素子C0,C1が２つ配置された画像撮影手段２００と、２つの撮像素子の相対的な位置ずれ量を検出する位置ずれ検出手段１２と、前記位置ずれ検出手段が検出した垂直方向の前記位置ずれ量に応じて、２つの前記撮像素子の一方の撮影開始時刻を変更する開始時刻変更手段１３と、２つの前記撮像素子が撮影した２つの画像の一方を、垂直方向の前記位置ずれ量と同程度、垂直方向に平行移動させる補正手段１１と、を有することを特徴とする。【選択図】図５
2012198075.tif 000002
【特許請求の範囲】
【請求項１】
２つの画像の相関度から被写体との距離情報を検出するステレオカメラ装置であって、
行と列に配列された画素のうち行毎の撮影時刻が異なる撮像素子が２つ配置された画像撮影手段と、
２つの撮像素子の相対的な位置ずれ量を検出する位置ずれ検出手段と、
前記位置ずれ検出手段が検出した垂直方向の前記位置ずれ量に応じて、２つの前記撮像素子の一方の撮影開始時刻を変更する開始時刻変更手段と、
２つの前記撮像素子が撮影した２つの画像の一方を、垂直方向の前記位置ずれ量と同程度、垂直方向に平行移動させる補正手段と、
を有することを特徴とするステレオカメラ装置。
【請求項２】
前記開始時刻変更手段は、２つの撮像素子のうち下方に位置ずれしている撮像素子と、反対側の撮像素子の撮影開始時刻のみを、垂直方向の位置ずれ量に応じた分だけ遅延させる、ことを特徴とする請求項１記載のステレオカメラ装置。
【請求項３】
前記補正手段は、予め得られている適切な水平方向の位置ずれ量と、前記位置ずれ検出手段が検出した水平方向の前記位置ずれ量との差分と同程度、２つの前記撮像素子が撮影した２つの画像の一方を水平方向に平行移動させる、
ことを特徴とする請求項１又は２記載のステレオカメラ装置。
【請求項４】
前記位置ずれ検出手段は、左右の撮像素子それぞれの視野内に固定されているマーカ被写体が、左右の画像で垂直方向にどれだけずれているかにより、垂直方向の前記位置ずれ量を検出する、
ことを特徴とする請求項１〜３いずれか1項記載のステレオカメラ装置。
【請求項５】
２つの前記撮像素子はローリングシャッタ方式の電子シャッタで露光時間が制御される、ことを特徴とする請求項１〜４いずれか1項記載のステレオカメラ装置。
【請求項６】
行と列に配列された画素のうち行毎の撮影時刻が異なる撮像素子が２つ配置された画像撮影手段を有し、２つの画像の相関度から被写体との距離情報を検出するステレオカメラの画像補正方法であって、
位置ずれ検出手段が、２つの撮像素子の相対的な位置ずれ量を検出するステップと、
開始時刻変更手段が、前記位置ずれ検出手段が検出した垂直方向の前記位置ずれ量に応じて、２つの前記撮像素子の一方の撮影開始時刻を変更するステップと、
補正手段が、２つの前記撮像素子が撮影した２つの画像の一方を、垂直方向の前記位置ずれ量と同程度、垂直方向に平行移動させるステップと、
を有する画像補正方法。
【発明の詳細な説明】
【技術分野】
【０００１】
本発明は、距離画像を撮影するステレオカメラ装置に関し、特に、左右の撮像素子の位置ずれを補正可能なステレオカメラ装置に関する。
【背景技術】
【０００２】
画像処理技術の向上と高性能なカメラが比較的安価になってきたため、カメラの応用技術が実用化されるようになってきた。例えば、従来から、車両ではミリ波レーダで前方の障害物を検出し、衝突防止や車間距離制御のために運転者に警告を発したり、車両に制動を加えるなどの運転支援が行われている。これをカメラで実現する試みがある。カメラで実現する場合、車両にステレオカメラを搭載し、ステレオカメラが撮影した距離画像から画像処理部が障害物までの距離を計測する。距離が検出されれば、同様の運転支援が可能である。
【０００３】
図１は平行配置したステレオカメラによる距離計測の原理を説明するための図である。
カメラＣ０とＣ１が距離Ｂだけ離れて設置されている。カメラＣ０とＣ１の焦点距離、光学中心、撮像面は下記のとおりである。
焦点距離：f、
光学中心：O0、O1
撮像面：s0、s1 
カメラＣ０の光学中心O0から光軸方向に距離dだけ離れた位置にある被写体Ａの像は、直線Ａ−O0と撮像面s0との交点であるP0に像を結ぶ。一方カメラＣ１では、同じ被写体Ａが、撮像面s1上の位置P1に像を結ぶ。ここで、カメラＣ１の光学中心O1を通り、直線Ａ−O0と平行な直線と、撮像面s1との交点をP0'とし、点P0'とP1との距離をpとする。
【０００４】
P0'は、カメラＣ０上の像P0と同じ位置であり、距離pは、同じ被写体の像の、二つ
のカメラで撮影した画像上での位置のずれ量を表し、これを視差と呼ぶ。
三角形:Ａ-O0-O1、三角形O1- P0'-P1は相似なので、
d  ＝  Ｂｆ／p
が得られる。カメラＣ０とＣ１の距離Ｂ（基線長）と焦点距離fが既知ならば、視差pから距離dを求めることができる。
【０００５】
このように、ステレオカメラによる距離計測は原理的に、２台のカメラの光軸が平行になっていることが前提となる。しかし、実機のステレオカメラは、機構的な公差、温度・振動による経時変化が避けられず、厳密な平行配置を維持することは困難である。そこで画像補正技術が重要になり、ステレオカメラの位置ずれを、画像を電子的に変形することによって補正する技術が考案されている（例えば、特許文献１参照。）。
【０００６】
特許文献１には、ステレオカメラの視野内の基準マーカ（例えば車両ボンネット先端の特定位置）の初期位置を記憶しておき、距離計測時に撮影した画像中の基準マーカの位置ずれを補正するよう、画像を上下左右にシフトする画像補正装置が開示されている。
【０００７】
ところで、カメラのシャッタ方式には、走査ラインごとに順次シャッタを切るローリングシャッタ方式、一画面分の走査ラインのシャッタを同時に切るグローバルシャッタ方式、がある。ＣＭＯＳ型の撮像素子を搭載したカメラの多くは、消費電力の低減が容易なローリングシャッタ方式を採用している。
【０００８】
図２は、ローリングシャッタ方式の動作タイミングを説明する図の一例である。横軸が時間を示し、左から右へ時間が経過している。行と列は各画素の位置を示す。図に示すように、各行の各列の画素値が順番に読み出される。すなわち、ＣＭＯＳイメージセンサは、最初に１行１列目の画素を露光して画素値を出力し、次に１行２列目の画素値を出力し、以降１行目の各列の画素の画素値を順に出力する。１行目のすべての画素を出力した後、２行目の画素を１列目から順に出力する。したがって、1行の画素数をＭ個とすると、１行目と２行目の同じ列の画素は、画素クロック×Ｍの時間だけ撮影時刻が異なることになる。
【０００９】
このように行ごとに撮影時刻が異なるため、ローリングシャッタ方式のカメラでは、左右に高速に移動する物体を撮影すると画像が斜めに歪むことが知られている（以下、動体歪みという）。
【００１０】
図３は、ローリングシャッタ方式による画像歪みの一例を示す図である。被写体が右方向に移動しているため、撮影された画像は１行毎に撮影時刻が異なる（被写体が移動しているため画像の下方向の行ほど右方向にずれる）画像となる。
【発明の概要】
【発明が解決しようとする課題】
【００１１】
このような動体歪みも画像処理によって補正することが好ましいが、特許文献１に開示された補正方法では動体歪みの修正は困難である。
【００１２】
図４は、動体歪みの補正における課題を説明する図の一例である。図４（ａ）は、ステレオカメラで撮影した補正前の２つの画像を示す。左右のカメラＣ０，Ｃ１に共通の被写体は矩形で示されている。図４では、右カメラが左カメラよりも若干上を向いて設置されているため、右カメラでは同じ被写体が、左カメラの画像に比べａ行だけ下に写っている。
【００１３】
図４（ｂ）は、特許文献１に示されるような補正処理が施された画像の一例を示す。すなわち、補正により、右カメラの画像は、a行分だけ上に平行移動されるので、左右のカメラの画像で被写体は同じ高さに写るようになる。
【００１４】
しかしながら、このような画像補正は、１枚の画像の全体が撮影された後に施されるものであり、各行の撮影時刻は変更されない。このため、図４（ｂ）の画像では、左カメラの１行目の高さに対応する、右カメラの画像は (a+1) 行目にある。これは、左右のカメラが同時に撮影を開始したとすると、左の画像と右の補正後の対応する同じ行の画像にはa行分の時間差があることを意味する。すなわち、２つの画像に視差以外の相違が生じてしまう。
【００１５】
このため、左右に移動する被写体を撮影した場合には、図３に示した動体歪みにより、計測される両眼視差に狂いが生じ、その結果、計測される距離に誤差が生じてしまう。
【００１６】
本発明は、上記課題に鑑み、行毎の撮影時刻が異なる撮像素子を利用したステレオカメラにおいて、光軸ずれによる画像の位置ずれだけでなく、動体歪みも補正することが可能なステレオカメラ装置を提供することを目的とする。
【課題を解決するための手段】
【００１７】
本発明は、２つの画像の相関度から被写体との距離情報を検出するステレオカメラ装置であって、行と列に配列された画素のうち行毎の撮影時刻が異なる撮像素子が２つ配置された画像撮影手段と、２つの撮像素子の相対的な位置ずれ量を検出する位置ずれ検出手段と、前記位置ずれ検出手段が検出した垂直方向の前記位置ずれ量に応じて、２つの前記撮像素子の一方の撮影開始時刻を変更する開始時刻変更手段と、２つの前記撮像素子が撮影した２つの画像の一方を、垂直方向の前記位置ずれ量と同程度、垂直方向に平行移動させる補正手段と、を有することを特徴とする。
【発明の効果】
【００１８】
行毎の撮影時刻が異なる撮像素子を利用したステレオカメラにおいて、光軸ずれによる画像の位置ずれだけでなく、動体歪みも補正することが可能なステレオカメラ装置を提供することができる。
【図面の簡単な説明】
【００１９】
【図１】平行配置したステレオカメラによる距離計測の原理を説明するための図である。
【図２】ローリングシャッタ方式の動作タイミングを説明する図の一例である。
【図３】ローリングシャッタ方式による画像歪みの一例を示す図である。
【図４】動体歪みの補正における課題を説明する図の一例である。
【図５】ステレオカメラ装置による光軸ずれの補正の概略を説明する図の一例である。
【図６】ステレオカメラ装置のハードウエア全体のブロック図の一例である。
【図７】カメラＣ０，Ｃ１の該略構成図の一例である。
【図８】ＣＭＯＳイメージセンサの動作タイミングの一例を説明する図である。
【図９】２つの画像信号の位置ずれの検出を説明する図の一例である。
【図１０】フレーム開始パルスの生成部のブロック図の一例である。
【図１１】垂直方向の位置ずれの補正を模式的に示す図の一例である。
【図１２】画像補整を模式的に説明する図の一例である。
【図１３】光軸まわりのカメラの回転によるマーカの位置ずれを模式的に示す図の一例である。
【図１４】歪曲収差の一例を模式的に示す図である。
【図１５】距離情報の算出について説明する図の一例である。
【発明を実施するための形態】
【００２０】
以下、本発明を実施するための形態について図面を参照しながら説明する。
図５は、本実施形態のステレオカメラ装置による光軸ずれの補正の概略を説明する図の一例である。
（１）ステレオカメラ装置は２つの画像から垂直方向に"ａ"の位置ずれがあることを検出する。
（２）ステレオカメラ装置は左右のＣＭＯＳイメージセンサの一方に供給するフレーム開始パルスを、ａライン分だけ遅延させる。左側のカメラのフレーム開始パルスを遅延させたとすると、右側のＣＭＯＳイメージセンサはａライン分だけ先に読み出すことになる。このため、左の画像の１行目と右の画像のａ＋１行目が同じ時刻に読み出されるようになる。したがって、垂直方向に"ａ"行の位置ずれが生じていても、被写体の同じ画素はほぼ同じタイミングで読み出される。
（３）距離計測の前に右側の画像を垂直方向に"ａ"だけ補正しておけば、視差以外の差異がなくなるので、ステレオカメラ装置は距離を精度よく検出できる。
【００２１】
本実施形態のステレオカメラ装置は、光軸のずれなど機械的な位置ずれを電子的な画像処理により補正するだけでなく、位置ずれ量に応じてＣＭＯＳイメージセンサの駆動タイミングを調整することにより、左右の画像で同じ被写体に生じていた読み出し時刻のずれも抑制することができる。したがって、距離情報の精度が向上する。
【００２２】
〔構成〕
図６は、ステレオカメラ装置１００のハードウエア全体のブロック図を示す。ステレオカメラ装置１００は、
・画像を撮影する、平行配置された２台のカメラＣ０，Ｃ１
・２台のカメラＣ０，Ｃ１で撮影された画像を取得してカメラ間の位置ずれ（特に垂直方向）を検出するずれ検出部１２
・ずれ検出部１２が検出した位置ずれに応じて、２台のカメラＣ０，Ｃ１の一方の撮影タイミングを制御するカメラ制御部１３、
・２台のカメラＣ０，Ｃ１で撮影された画像を取得して、ずれ検出部１２で検出した位置ずれを補正して画像データを補正する画像補正部１１
を有する。以下、各構成部について説明する。
【００２３】
〔カメラＣ０，Ｃ１〕
図７は、カメラＣ０，Ｃ１の該略構成図の一例を示す。カメラＣ０，Ｃ１は同じレンズ２１、絞り２２、ローリングシャッタ方式のＣＭＯＳイメージセンサ２３を有する。２つのレンズ２１の光軸は平行であり、また、２つのＣＭＯＳイメージセンサ２３の撮像面が同一平面になるように配置されている。ただし現実には平行度の精度には限界があり、微少な誤差を持つ。
【００２４】
ＣＭＯＳイメージセンサ２３は、カメラ制御部１３が出力する、画素クロックとフレーム開始パルスの二つの信号を入力として動作する。ＣＭＯＳイメージセンサ２３が出力した画像信号は、ＣＤＳ２４に出力され相関二重サンプリングによるノイズ除去が行われ、ＡＧＣ２５により信号強度に応じて利得制御され、Ａ／Ｄ２６によりＡ／Ｄ変換される。画像信号はＣＭＯＳイメージセンサ２３の全体を記憶可能なフレームメモリ２７に記憶される。
【００２５】
フレームメモリ２７に記憶された画像信号はデジタル信号処理部２８により、距離の算出等が行われ、使用によってはフォーマット変換され液晶などの表示手段に表示される。デジタル信号処理部２８は、ＤＳＰ、ＣＰＵ、ＲＯＭ、ＲＡＭなどを備えたＬＳＩである。画像補正部１１及びずれ検出部１２は例えばこのデジタル信号処理部２８により、ハード的又はソフト的に提供される。カメラ制御部１３をデジタル信号処理部２８に配置してもよく、図示する構成は一例である。
【００２６】
デジタル信号処理部２８は、水平同期信号ＨＤ、垂直同期信号ＶＤ及びクロック信号の各パルスをカメラ制御部１３に出力する。または、カメラ制御部１３が水平同期信号ＨＤ及び垂直同期信号ＶＤを生成することも可能である。
【００２７】
カメラ制御部１３は、タイミングジェネレータやクロックドライバを有し、ＨＤ，ＶＤ及びクロック信号からＣＭＯＳイメージセンサ２３を駆動するための画素クロックやフレーム開始パルスなどのタイミングパルスを生成する。
【００２８】
図８は、ＣＭＯＳイメージセンサ２３の動作タイミングの一例を説明する図である。フレーム開始パルスはフレームの開始を制御するパルスであり、画素クロックはＣＭＯＳイメージセンサ２３の１つの画素の読み出しタイミングを制御するパルスである。フレーム開始パルスの立ち上がり後、最初の画素クロックに同期して、１行１列目の撮像素子が露光を開始し、あらかじめ決められた露光時間の後、光電変換された電荷量をＣＤＳ２４等に出力する。
【００２９】
また、画素クロックごとに、各画素が同様の動作を実行し、その結果、規定の露光時間が経過した後は、画素クロックごとに各撮像素子が一画素分の画素値の電荷量を順次出力する。
【００３０】
撮像素子の１ライン分の露光開始時刻の差(Tline) は、(水平ブランクを含む) 画像幅(w：単位は画素数)、画素クロック1 画素分の時間(p) の積、から下記で表すことができる。
ｗ＊ｐ
したがって、各行の撮影開始時刻はｗ＊ｐずつ遅れていく。
【００３１】
〔ずれ検出部〕
ずれ検出部１２は、フレームメモリ２７に記憶された２つの画像信号を用いて、２台のカメラＣ０，Ｃ１の微少な位置ずれを検出する。
【００３２】
図９は２つの画像信号の位置ずれの検出を説明する図の一例である。車両メーカやカメラメーカなどが、カメラＣ０，Ｃ１の位置ずれを検出するため、自動車のボンネット上などの視野内に特定のマーカを配置しておく。マーカは、位置ずれ検出のための専用のシールなどとしてもよいが、ボンネットの一部（ボンネットの外縁）、視野内の突起物（ウォッシャ液の噴出口等）などをマーカとすることで意匠性の低下を防止できる。車両メーカやカメラメーカなどがカメラ部２００を車両に取り付け光軸などを調整した際、車両メーカやカメラメーカは、カメラＣ０，Ｃ１それぞれが撮影した画像におけるマーカ位置をずれ検出部１２に記憶しておく。また、位置だけでは位置ずれの補正のために実際に撮影された画像内のどの位置にマーカが撮影されているかが不明なので、ずれ検出部１２はカメラＣ０，Ｃ１のそれぞれが撮影した基準元画像（１画面の全体又はマーカ部分だけ）を記憶しておく。
【００３３】
ずれ検出部１２は、例えば、定期的に（車両のイグニッションオンの後、毎週、毎月等）又はディーラによる定期点検時に、２台のカメラＣ０，Ｃ１が撮影した画像内のマーカ位置により位置ずれ量を検出する。
【００３４】
図９（ａ）は、左右２台のカメラＣ０，Ｃ１が撮影した際のマーカ位置を示す。左側のカメラＣ０の画像上のマーカ位置を(xl,yl)、右側のカメラＣ１の画像上のマーカ位置を(xr, yr) として、黒丸で示す。
【００３５】
なお、マーカの位置は、基準元画像のマーカ位置の所定サイズの画像をトリミングして（又は予めトリミングされているマーカ部分の画像）、これと、２台のカメラＣ０，Ｃ１が撮影した２つの画像における、基準元画像のマーカ位置の周辺の画像とパターンマッチングすることで特定される。
【００３６】
図９（ｂ） は、(xl, yl) と(xr, yr) を、同じ平面上に示す図である。
dx = xr - xl,
dy = yr - yl 
により求められる（dx，dy）が平面内の左右マーカの位置のずれを表す。なお、図示するように水平方向は右方向が正、垂直方向は下方向が正である。よって、図の例ではdx、dyのいずれも負である。
【００３７】
並行ステレオカメラとして視差が水平になるためには垂直方向のずれdy は、本来"０"でなければならない。したがってdy は垂直方向のずれ量である。
【００３８】
水平方向のずれdx は、正確な平行ステレオカメラでも"０" にはならない。カメラ部２００として校正時に得られた適切な視差からのずれが位置ずれ量をdxで表す。適切な視差はあらかじめ校正されており、ずれ検出部１２に記憶されているカメラＣ０，Ｃ１それぞれが撮影した画像におけるマーカ位置から求められる。校正時のカメラＣ０，Ｃ１それぞれの画像におけるマーカ間の水平方向の距離をdx0、校正時のカメラＣ０，Ｃ１に対する現在のカメラＣ０，Ｃ１の水平方向の位置ずれをdx'とすると、dx'は以下のように表すことができる。
dx' ＝ dxo−dx
なお、マーカを定めておかなくても、カメラＣ０，Ｃ１がそれぞれ撮影した画像同士をパターンマッチングすることで、ずれ検出部１２はdx,dyを検出することができる。パターンマッチングにより２つの画像の画素値が最も一致するように相対移動した時の画像の移動量dx、dyが、平面内の左右マーカの位置のずれである。垂直方向のずれはdyそのものである。
【００３９】
水平方向の位置ずれｄｘは、正確な平行ステレオカメラでも"０" にはならないので、ボンネットなど画像内に固定して撮影される領域を、校正時の左右の画像、距離計測時の左右の画像でパターンマッチングすることで、dx'を求める。以下、説明を容易にするため、dx'をdxと称す。
【００４０】
ずれ検出部１２は、検出した位置ずれ量を、画像補正部（水平方向dx、垂直方向dy）、及び、カメラ制御部（垂直方向dyのみ）へ出力する。
【００４１】
なお、ずれ検出部１２は、後述するように、平行方向の位置ずれだけでなく、光軸まわりのカメラＣ０，Ｃ１の回転など、経時変化によるその他のずれを検出しておく。
【００４２】
〔カメラ制御部〕
カメラ制御部１３は、垂直方向の位置ずれｄｙに応じて左右のカメラＣ０，Ｃ１のフレーム開始パルスを生成する。カメラ制御部１３は、ずれ検出部１２が検出した位置ずれｄｙに従い、左右のカメラＣ０，Ｃ１のフレームの撮影開始時刻を補正する。
【００４３】
ここでは、カメラ制御部１３が１ 秒ごと３０フレームの画像を出力するよう、1/30 秒ごとにフレーム開始パルスを出力するものとする。そのためカメラ制御部１３の３０Ｈｚ発振器１３３は３０Ｈｚのフレーム開始パルスを発信する。さらに、このフレーム開始パルスを、縦方向の画像補正量dyに合せて遅延する。
【００４４】
図１０は、カメラ制御部１４におけるフレーム開始パルスの生成部のブロック図の一例を示す。カメラ制御部１３はずれ検出部１２が出力した垂直方向ずれ量dyを遅延量設定部１３２に設定する。
【００４５】
遅延量設定部１３２は、垂直方向の位置ずれdyを遅延時間に変換して遅延回路１３１に設定するので、遅延回路１３１は設定された遅延時間が経過するとフレーム開始パルスを出力する。遅延量設定部１３２は、位置ずれdy が負の場合には左側の遅延回路１３１に遅延時間を設定し、左側のカメラ用のフレーム開始パルスをdy ライン分遅延させる(このとき右側のカメラ用フレーム開始パルスは遅延させない)。逆に、位置ずれdy が正の場合には右側の遅延回路１３１に遅延時間を設定し、右側のカメラ用のフレーム開始パルスをdy ライン分遅延させる。
【００４６】
これにより、例えば図４のように、右画像が垂直方向上側に補正される場合には、左側のカメラＣ０のフレーム開始がaライン分だけ遅れることになる。すると、光軸がずれていても、左側のカメラＣ０の画像の1行目と、右側のカメラＣ１の像のa+1 行目が、同じ時刻に撮影されることになる。そのためローリングシャッタによる動体歪みが、距離計測に及ぼす悪影響を低減することができる。
【００４７】
図１１は、垂直方向の位置ずれの補正を模式的に示す図の一例である。図１１（ａ）に示すように、右画像がｄｙ下側にずれているので、カメラ制御部１３は垂直方向の位置ずれdyを遅延量設定部１３２に設定する。遅延量設定部１３２は位置ずれdyに相当する遅延時間を左の遅延回路１３１に設定する。
【００４８】
図１１（ｂ）に示すように、右側のカメラＣ１には先にフレーム開始パルスが出力され、1行目から画素値が順番に読み出される。右側のカメラＣ１がｄｙライン分読み出すと、カメラ制御部１３は左側のカメラＣ１にフレーム開始パルスを出力する。これにより、左側のカメラＣ０の１行目と右側カメラＣ１のdy+1行目が同じ時刻に読み出される。
【００４９】
図１１（ｃ）に示すように、フレームメモリ２７には左側のカメラＣ０と右側のカメラＣ１がそれぞれ撮影したとおりの画像が記憶される。このずれは画像補正部１１により補正される。
【００５０】
図１１（ｄ）はローリングシャッタによる動体歪みの一例を示す図である。被写体が高速に移動した場合、図示するように動体歪みが生じるが、左側のカメラＣ０又は右側のカメラＣ１のフレーム開始パルスをdyライン遅延させることで、被写体の各ラインは同じ時刻に撮影されていることになる。よって、画像補正部１１が垂直方向の位置ずれをｄｙ補正することで、距離計測部１４は動体歪みがあっても視差を精度よく検出でき、距離計測に及ぼす精度低下を低減することができる。
【００５１】
〔画像補正部〕
画像補正部１１はずれ検出部１２が検出した水平方向の位置ずれdx、垂直方向の位置ずれdyに基づき、画像信号を水平方向及び垂直方向に水平移動して画像を補整する。画像補正部１１は、参照カメラ（Ｃ０、Ｃ１のいずれでもよいが、ここではカメラＣ１が参照カメラとする。）の画像を、上下左右に平行移動する。垂直方向の位置ずれdyが負であれば、画像補正部１１は右側のカメラＣ１の画像の全体をdyだけ上方向に移動し、dyが正であれば、画像補正部１１は右側のカメラＣ１の画像の全体をdyだけ下方向に移動する。例えば、図９（ｂ）のように、dy が負の場合、画像補正部１１は右側のカメラＣ１の撮影画像をdy だけY 軸の負(上) 方向に移動する。
【００５２】
水平方向の位置ずれについても同様に、水平方向の位置ずれdxが負であれば、画像補正部１１は右側のカメラＣ１の画像の全体をdxだけ左方向に移動し、dxが正であれば、画像補正部１１は右側のカメラＣ１の画像の全体をdxだけ右方向に移動する。dx、dy、の補正には、例えばアフィン変換を利用することができる。
【００５３】
図１２は画像補整を模式的に説明する図の一例である。垂直方向の位置ずれの補正においては、左右の被写体がほぼ同じ垂直位置になるように補正される。なお、画像補整の結果、フレームメモリ２７の上側の画素値はオーバーフローし、フレームメモリ２７の下側の画素値は足りなくなる。画像補正部１１はオーバーフローした部分の画素値は削除し、画素値が足りない部分のフレームメモリ２７のアドレスには所定値を（例えば、白：２５５、黒：０）を格納してもよいし、不定値のままとしてもよい。
【００５４】
このような補正により、左右のカメラＣ０，Ｃ１の画像に視差以上の差異が生じないようにすることができる。
【００５５】
また、画像補正部１１は、画像信号からずれ検出部１２が検出した位置ずれdx,dy以外に、各種の画像補整が可能である。例えば、このような平行方向の位置ずれだけでなく、光軸まわりのカメラＣ０，Ｃ１の回転、結像光学系の歪曲収差、なども補正することが望ましい。
【００５６】
図１３（ａ）（ｂ）は光軸まわりのカメラＣ０，Ｃ１の回転によるマーカの位置ずれを模式的に示す図の一例である。光軸まわりのカメラＣ０，Ｃ１の回転は、左右のカメラＣ０，Ｃ１それぞれに生じうるが、左右のカメラＣ０，Ｃ１それぞれの回転の相対量を補正すればよい。
【００５７】
回転による位置ずれは、左右の画像の回転量を検出することで求められる。後述する距離情報を求める手法とほぼ同様に、ずれ検出部１２は、基準とする左側のカメラＣ０の画像から水平な２つ以上の領域を抽出し、これらと最も相関度の高い領域を右側の画像から特定する。回転による位置ずれはある程度の範囲に含まれるとしてよいので、図では右側の画像に点線で探索範囲を示した。ずれ検出部は探索範囲で最も相関の高い領域を決定する。
【００５８】
図１３（ｂ）は右側の画像から決定された領域の一例を示す。ずれ検出部は、３つの領域の重心を通過する直線の傾きを最小二乗法により算出する。この傾きは、回転による位置ずれがなければゼロになるので、傾きθ（＝arctan"傾き"）が補正すべき回転量になる。
【００５９】
画像補整部１１は、アフィン変換のパラメータにθを代入して、回転による位置ずれを補正する。
【００６０】
図１４は歪曲収差の一例を模式的に示す図である。歪曲収差には糸巻型歪曲と樽型歪曲があるが、左右のカメラＣ０、Ｃ１は同種のレンズ２１なので、生じる歪曲収差も同じとしてよい。
【００６１】
また、このような歪曲収差は、経時変化によりあまり増減することはないので、レンズ２１の特性としてレンズメーカなどから補正用パラメータが提供される。画像補正部１１はこの補整パラメータに基づき左右の画像を補整する。補正パラメータには画素の座標に対応づけて移動先の座標が登録されているか、または、画素の座標を入力すると移動先の座標が出力される関数が登録されている。
【００６２】
このように、ステレオカメラ装置１００は、位置ずれｄｘ、ｄｙが含まれる画像を適切に補正することができる。
【００６３】
〔距離計測〕
距離計測部１４は、図１にて説明したように
d  ＝  Ｂｆ／p
から距離情報を算出する。ＢはカメラＣ０とＣ１の基線長、fは焦点距離、ｐが視差、dが距離である。
【００６４】
図１５は、距離情報の算出について説明する図の一例である。距離計測部１４は、ずれ検出部１２が検出した位置ずれdyに基づき、マッチング対象を限定する。すなわち、画像補整により所定値（白：２５５、黒：０）が埋め込まれた領域は画素値が一致しないので、距離計測部１４はマッチング対象から除外する。本実施形態では左右の画像の最下部の行から位置ずれに相当するdy行だけマッチング対象から除外する。
【００６５】
次に、距離計測部１４は、左の画像信号を矩形の微少領域に区分する。そして、左の画像信号における左上の微小領域Ｌ（０，０）に着目し、微小領域Ｌ（０，０）に対応する、微小領域Ｌ（０，０）と同じサイズの右の画像信号における微小領域の画像相関値を求める。右の画像信号において着目する微小領域Ｌ（０，０）の位置を１画素ずつずらしながら、最も相関値の大きくなる右の画像信号における微小領域Ｒ（０，０）の位置を求める。画像補整により左右の画像に視差以外の差異はないので、距離計測部１４が微小領域をずらす方向は水平方向のみでよい。
【００６６】
微小領域Ｌ（０，０）と微小領域Ｒ（０，０）とのずれ量が微小領域Ｌ（０，０）における視差ｐ（０，０）である。同様の手法で、左の画像全体の各微小領域Ｌ（１，０）、（２，０）、（３，０）、・・・・Ｌ（ｍ，ｎ）における視差ｐ（１，０）、ｐ（２，０）、ｐ（３，０）、・・・・ｐ（ｍ，ｎ）を求める。ｐの単位は、画素数なので、画素サイズから距離の単位に変換する。距離計測部１４はこのようにして求めたｐを上式に代入して、微小領域Ｌ（ｍ，ｎ）毎の距離ｄ（ｍ，ｎ）を求めることができる。
【００６７】
カメラ部２００が車両に搭載されている場合、距離計測部１４が距離情報を取得したいのは、前方車両、歩行者、障害物等なので、テンプレートマッチングなどで画像からこれらを予め抽出しておき、視差ｐを検出する微小領域Ｌを制限しておいてもよい。これにより、視差ｐの検出時間を短縮できる。
【００６８】
デジタル信号処理部２８は、車両のＥＣＵ（Electronic Control Unit）に距離情報を出力するので、該ＥＣＵは衝突防止や車間距離制御のために、警報音を吹鳴したり、ブレーキアクチュエータを制御して車両に制動を加えるなどの運転支援を実行できる。
【００６９】
以上説明したように、本実施形態のステレオカメラ装置１００は、垂直方向に位置ずれが生じていても、左右のカメラＣ０，Ｃ１で被写体の同じ部位は同じ時刻に読み出すことができるので、ローリングシャッタ方式の撮像素子を使用しても、距離情報を精度よく算出することができる。
【符号の説明】
【００７０】
１１      画像補整部
１２      ずれ検出部
１３      カメラ制御部
１４      距離計測部
２１      レンズ  
２２      絞り
２３      ＣＭＯＳイメージセンサ
２７      フレームメモリ
２８      デジタル信号処理部
１００    ステレオカメラ装置
２００    カメラ部
【先行技術文献】
【特許文献】
【００７１】
【特許文献１】特開平１１−３２５８９０号公報
【図１】
2012198075.tif 000003
【図２】
2012198075.tif 000004
【図３】
2012198075.tif 000005
【図４】
2012198075.tif 000006
【図５】
2012198075.tif 000007
【図６】
2012198075.tif 000008
【図７】
2012198075.tif 000009
【図８】
2012198075.tif 000010
【図９】
2012198075.tif 000011
【図１０】
2012198075.tif 000012
【図１１】
2012198075.tif 000013
【図１２】
2012198075.tif 000014
【図１３】
2012198075.tif 000015
【図１４】
2012198075.tif 000016
【図１５】
2012198075.tif 000017